(57)【特許請求の範囲】
【請求項１】
キー入力部に設けられた複数キーのいずれを操作しても着信に応答可能な応答手段を備えた携帯通信機器において、
上記キー入力部のキー操作を行う環境下となるモードにあるか否かを検出する検出手段と、
着信時に上記検出手段により上記モードにあることを検出した場合には、上記応答手段による通話への移行を報知する報知手段と
を具備したことを特徴とする携帯通信機器。
【請求項２】
キー入力部に設けられた複数キーのいずれを操作しても着信に応答可能な応答手段を備えた携帯通信機器において、
上記キー入力部のキー操作を行う環境下となるモードにあるか否かを検出する検出手段と、
着信時に上記検出手段により上記モードにあることを検出した場合には、上記応答手段を一時的にキャンセルする応答制御手段と
を具備したことを特徴とする携帯通信機器。
【請求項３】
キー入力部に設けられた複数キーのいずれを操作しても着信に応答可能な応答手段を備えた携帯通信機器において、
上記キー入力部のキー操作中か否かを検出する検出手段と、
着信時に上記検出手段により上記キー入力部のキー操作中であることを検出した場合には、上記応答手段による通話への移行を報知する報知手段と
を具備したことを特徴とする携帯通信機器。
【請求項４】
キー入力部に設けられた複数キーのいずれを操作しても着信に応答可能な応答手段を備えた携帯通信機器において、
上記キー入力部のキー操作中か否かを検出する検出手段と、
着信時に上記検出手段により上記キー入力部のキー操作中であることを検出した場合には、上記応答手段を一時的にキャンセルする応答制御手段と
を具備したことを特徴とする携帯通信機器。
【発明の詳細な説明】
【０００１】
【発明の属する技術分野】
本発明は、例えばページング受信機や携帯電話、ＰＨＳなどの携帯通信機器に関する。
【０００２】
【従来の技術】
一般にアナログ／デジタル携帯電話やＰＨＳ（Ｐｅｒｓｏｎａｌ  Ｈａｎｄｙｐｈｏｎｅ  Ｓｙｓｔｅｍ）等の携帯通信機器で、着信の際には「通話」キー以外のいずれのキーを操作しても直ちに応答可能として、着信から迅速に通話に移行できるようにした全キー応答機能（所謂エニーキーアンサー機能）を有するものが多く普及している。
【０００３】
【発明が解決しようとする課題】
しかしながら上記全キー応答機能にあっては、例えば送信先の呼出番号をデータ入力している際などの比較的複雑な連続したキー操作を行なっている最中に着信があった場合、着信があったことに気付かないままに応答してしまい、ユーザの意思に反して通話状態に移行してしまうということがあり得る。
【０００４】
本発明は上記のような実情に鑑みてなされたもので、その目的とするところは、ユーザの意思に反して不用意に通話に移行してしまうことのない携帯通信機器を提供することにある。
【０００５】
【課題を解決するための手段】
請求項１記載の発明は、キー入力部に設けられた複数キーのいずれを操作しても着信に応答可能な応答手段を備えた携帯通信機器において、上記キー入力部のキー操作を行う環境下となるモードにあるか否かを検出する検出手段と、着信時に上記検出手段により上記モードにあることを検出した場合には、上記応答手段による通話への移行を報知する報知手段とを具備したことを特徴とする。
【０００７】
請求項２記載の発明は、キー入力部に設けられた複数キーのいずれを操作しても着信に応答可能な応答手段を備えた携帯通信機器において、上記キー入力部のキー操作を行う環境下となるモードにあるか否かを検出する検出手段と、着信時に上記検出手段により上記モードにあることを検出した場合には、上記応答手段を一時的にキャンセルする応答制御手段とを具備したことを特徴とする。
【０００８】
請求項３記載の発明は、キー入力部に設けられた複数キーのいずれを操作しても着信に応答可能な応答手段を備えた携帯通信機器において、上記キー入力部のキー操作中か否かを検出する検出手段と、着信時に上記検出手段により上記キー入力部のキー操作中であることを検出した場合には、上記応答手段による通話への移行を報知する報知手段とを具備したことを特徴とする。
請求項４記載の発明は、キー入力部に設けられた複数キーのいずれを操作しても着信に応答可能な応答手段を備えた携帯通信機器において、上記キー入力部のキー操作中か否かを検出する検出手段と、着信時に上記検出手段により上記キー入力部のキー操作中であることを検出した場合には、上記応答手段を一時的にキャンセルする応答制御手段とを具備したことを特徴とする。
【０００９】
【発明の実施の形態】
以下本発明を全キー応答機能を有するＰＨＳ端末機に適用した場合の実施の一形態について図面を参照して説明する。
図１はＰＨＳ端末機１０の回路構成を示すもので、１１はアンテナである。このアンテナ１１には送受信部１２を接続している。この送受信部１２は周波数変換部とモデムで構成されるもので、周波数変換部の受信側では、アンテナ２１から入力された信号が送信／受信を振り分けるアンテナスイッチを介して入力され、ＰＬＬシンセサイザから出力される所定周波数の局部発振信号と混合することにより、１．９ＧＨｚ帯から１ＭＨｚ付近のＩＦ信号に周波数変換する。
【００１０】
一方、送信側では、モデムから入力されたπ／４シフトＱＰＳＫの変調波をＰＬＬシンセサイザから出力される所定周波数の局部発振信号と混合することにより１．９ＧＨｚ帯に周波数変換し、上記アンテナスイッチを介してアンテナ１１より輻射するようにしている。
【００１１】
また、モデムの受信側では、周波数変換部からのＩＦ信号が復調されＩＱデータに分離され、データ列になって通信制御部１３に転送するようにしている。一方、送信側では、通信制御部１３から転送されてきたデータからＩＱデータを生成し、π／４シフトＱＰＳＫに変調して周波数変換部に出力する。
【００１２】
そして、この送受信部１２に、通信制御部１３、音声処理部１４を順に接続し、この音声処理部１４に受話側のスピーカ１５及び送話側のマイクロフォン１６を接続している。
【００１３】
ここで、通信制御部１３はフレーム同期及びスロットのデータフォーマット処理を行なうもので、受信側では、送受信部１２のモデムから送られてくる受信データから所定タイミングで１スロット分のデータを取出し、このデータの中からユニークワード（同期信号）を抽出してフレーム同期をとり、且つ制御データ部と音声データ部または通信データ部のスクランブルなどを解除した後、制御データ及び通信データ部は後述する制御部１７に送り、音声データは音声処理部１４に転送する。
【００１４】
一方、送信側では、音声処理部１４から送られてくる音声データまたは制御部１７から送られてくる通信データ部に制御データなどを付加し、スクランブルなどをかけた後にユニークワードなどを付加して１スロット分の送信データを作成し、所定タイミングでフレーム内の所定スロットに挿入して送受信部１２のモデムに送出する。
【００１５】
音声処理部１４は、スピーチコーディック及びＰＣＭコーディックにより構成され、このうちスピーチコーディックは、デジタルデータの圧縮／伸長処理を行なうもので、受信側では、通信制御部２３から送られてきたＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸長してＰＣＭコーディックに出力する。一方、送信側では、ＰＣＭコーディックから送られてきたＰＣＭ音声信号をＡＤＰＣＭ音声信号に符号化することにより圧縮して通信制御部１３に出力する。
【００１６】
また、ＰＣＭコーディックは、アナログ／デジタル変換処理を行なうもので、受信側では、スピーチコーディックから送られてくるＰＣＭ音声信号をＤ／Ａ変換してアナログ音声信号をスピーカ１５に出力する。一方、送信側では、マイクロフォン１６から入力されたアナログ音声信号をＡ／Ｄ変換してＰＣＭ音声信号をスピーチコーディックに出力する。
【００１７】
そして、これら送受信部１２、通信制御部１３、及び音声処理部１４には、制御部１７を接続し、この制御部１７にＲＯＭ１８、ＲＡＭ１９、キー入力部２０、及び表示部２１を接続している。
【００１８】
ここで制御部１７は、所定のプロトコルに基づいて装置全体を制御するもので、ＲＯＭ１８は通話時及びデータ通信時を含む制御部１７での制御動作プログラムを固定記憶し、またＲＡＭ１９は制御部１７での制御により取扱われる通信データを含むデータを一時記憶する送信バッファ、受信バッファ、送信スロットバッファ、受信スロットバッファ、各種カウンタ等を有するものである。このＲＡＭ１９内に記憶しているデータは、電源スイッチの投入状態に関係なく常時電源バックアップされるものとする。
【００１９】
キー入力部２０は各機能を設定するキー操作信号を制御部１７に入力するためのもので、電源スイッチ、ダイヤルキー、通話キー、「切」キー、機能選択キー等を有する。
【００２０】
表示部２１は例えばドットマトリクスタイプの液晶表示パネルとその駆動回路で構成され、各種制御のための入力データ及び結果、データ伝送状態などを表示するものである。
【００２１】
次いで上記実施の形態の動作について説明する。
図２は通常の着信の待機状態から着信があって、これに応答し、通話状態に移行するまでの間の主として制御部１７による処理内容を例示するものである。同図では、その当初に着信のあるのを待機し（ステップＡ１）、着信があったと判断した時点で、次に予め特定されている、例えば送信先名と電話番号とからなる電話帳データの入力モードなどの連続したキー操作を行なう環境下（例えば、電話帳データ入力モード等の特定モード使用中）にあるか否かを判断する（ステップＡ２）。
【００２２】
ここで特定のキー操作環境下にはないと判断した場合には、そのまま全キー応答機能を活用したキー入力部２０のいずれかのキーが操作されるのを待機し（ステップＡ３）、いずれかのキーが操作された時点で応答操作がなされたものとして速やかに回線を接続して通話状態に移行する（ステップＡ４）。
【００２３】
また、上記ステップＡ２で着信時に特定のキー操作環境下にあると判断した場合には、まず全キー応答機能を活用したキー入力部２０のいずれかのキーが操作されるのを待機し（ステップＡ５）、いずれかのキーが操作された時点で応答操作がなされたものとして、通話状態に移行することをユーザに通知する（ステップＡ６）。
【００２４】
図３はこのとき表示部２１で表示されるメッセージを例示するものである。同図では、電界強度表示３１、充電池残容量表示３２、「電話長データ入力」の文字によるモード表示３３と併せて、「着信ニ応答シタノデ通話ニ移行シマス」の文字によるメッセージ表示３４がなされている状態を示す。
【００２５】
このような通話への移行のメッセージ通知を行なうと同時に、速やかに回線を接続して通話状態に移行する（ステップＡ４）。
なお、上記図３は通話状態へ移行することを表示部２１で文字によるメッセージとして表示出力する場合について例示したものであるが、ユーザの任意設定により上記表示出力に代えて、あるいは併せて、マイクロフォン１６から音声メッセージによる通知を行なうようにしてもよい。
【００２６】
しかるに、上記図２で説明したような動作を行なうことにより、連続したキー操作を必要とするような特定の作業環境下で着信があり、キー操作によって応答して通話に移行するような際には、必ずその旨をユーザに対して表示及び／または音声でメッセージで通知するようにした。そのため、ユーザが着信に気付かずに不用意に通話に移行してしまうのを確実に防止することができる。
【００２７】
また、上記図２の動作では、着信時に特定のキー操作環境下にあると判断した場合でも、全キー応答機能による通話状態への移行を行なうものとしたが、そのような環境下では全キー応答機能を一時的に解除し、キー入力部２０の「通話」キーを操作することによってのみ応答することができるようにしてもよい。
【００２８】
以下このような動作を本実施の形態の他の動作例として説明する。
図４は通常の着信の待機状態から着信があってこれに応答し、通話状態に移行するまでの間の主として制御部１７による処理内容を例示するものである。同図では、その当初に着信のあるのを待機し（ステップＢ１）、着信があったと判断した時点で、次に予め特定されている、例えば送信先名と電話番号とからなる電話帳データの入力モードなどの連続したキー操作を行なう環境下（例えば、電話帳データ入力モード等の特定モード使用中）にあるか否かを判断する（ステップＢ２）。
【００２９】
ここで特定のキー操作環境下にはないと判断した場合には、そのまま全キー応答機能を活用したキー入力部２０のいずれかのキーが操作されるのを待機し（ステップＢ３）、いずれかのキーが操作された時点で応答操作がなされたものとして速やかに回線を接続して通話状態に移行する（ステップＢ４）。
【００３０】
また、上記ステップＢ２で着信時に特定のキー操作環境下にあると判断した場合には、全キー応答機能を一時的にキャンセルし、例えばキー入力部２０の「通話」キーの操作のみによって通話に移行できるものとする（ステップＢ５）。
【００３１】
図５はこのとき併せて表示部２１で表示されるメッセージを例示するものである。同図では、電界強度表示３１、充電池残容量表示３２、「電話長データ入力」の文字によるモード表示３３と併せて、「着信ニ応答スルタメニ「通話」キーヲ操作シテクダサイ」の文字によるガイドメッセージ表示３５がなされている状態を示す。
【００３２】
このような通話への移行に必要なキー操作のガイドメッセージ通知を行なった後、実際にキー入力部２０の「通話」キーが操作されるのを待機し（ステップＢ６）、「通話」キーが操作された時点で応答操作がなされたものとして、速やかに回線を接続して通話状態に移行する（ステップＡ４）。
【００３３】
なお、図示はしないが、上記通話の終了後には、これを判断して自動的に全キー応答機能を実行する状態に復帰することは勿論である。
また、上記図５は通話状態への移行に必要な「通話」キーの操作による応答を表示部２１で文字によるガイドメッセージとして表示出力する場合について例示したものであるが、ユーザの任意設定により上記表示出力に代えて、あるいは併せて、マイクロフォン１６から音声ガイドメッセージによる通知を行なうようにしてもよい。
【００３４】
しかるに、上記図４で説明したような動作を行なうことにより、連続したキー操作を必要とするような特定の作業環境下で着信があるような際には、一時的に全キー応答機能をキャンセルするようにした。そのため、ユーザが不用意に着信に応答してしまうのを確実に防止できる。
【００３５】
なお、上記実施の形態では、図示しなかったが、特定の作業環境下で着信し、通話に移行した後、自動的に通話前の特定作業環境下に戻るようにしてもよい。
また、上記実施の形態は本発明をＰＨＳ端末機に適用した場合について示したものであるが、本発明はこれに限るものではなく、ページング受信機アナログ／デジタル携帯電話、小電力トランシーバ等、着信の報知に対してキー操作を行なうような携帯通信機器であればいずれにも適用することが可能である。
その他、本発明はその要旨を逸脱しない範囲内で種々変形して実施することが可能であるものとする。
【００３６】
【発明の効果】
本発明によれば、着信があり、キー操作によって応答して通話に移行するような際には、不用意に通話に移行してしまうのを確実に防止できる。
【図面の簡単な説明】
【図１】本発明の実施の一形態に係る回路構成を示すブロック図。
【図２】同実施の形態に係る動作の処理内容を示すフローチャート。
【図３】同実施の形態に係るメッセージ表示画面を例示する図。
【図４】同実施の形態に係る他の動作の処理内容を示すフローチャート。
【図５】同実施の形態に係る他の動作のメッセージ表示画面を例示する図。
【符号の説明】
１０…ＰＨＳ端末機
１１…アンテナ
１２…送受信部
１３…通信制御部
１４…音声処理部
１５…スピーカ
１６…マイクロフォン
１７…制御部
１８…ＲＯＭ
１９…ＲＡＭ
１０…キー入力部
２１…表示部
３１…電界強度表示
３２…充電池残容量表示
３３…モード表示
３４…メッセージ表示
３５…ガイドメッセージ表示
【図１】
0003890721.tif 000002
【図２】
0003890721.tif 000003
【図３】
0003890721.tif 000004
【図４】
0003890721.tif 000005
【図５】
0003890721.tif 000006